Podtech/llm-jp-corpus-v4-ja_patent huggingface dataset:
(57)【要約】【課題】簡易な構造で安全性の高いエレベーターのかご上作業安全装置を提供すること。【解決手段】エレベーターかご上外枠２に取り付けられている命綱の取付金具１にはコネクタ３を取付け、命綱４にはコネクタ３と対になるコネクタ５を取付ける構成とし、命綱４を固定するとともにコネクタ３とコネクタ５を接続することで、かごを昇降させる操作回路が形成される。【選択図】図１
2012218887.tif 000002
【特許請求の範囲】
【請求項１】
命綱と前記命綱を固定するための取付金具とを備えたエレベーターのかご上作業安全装置において、
前記取付金具に第一のコネクタを設け、前記命綱に第二のコネクタを設け、前記命綱が前記取付金具に固定され、前記第一のコネクタと前記第二のコネクタとが接続することで、かごを昇降させる釦をもった操作回路が形成されることを特徴とするエレベーターのかご上作業安全装置。
【発明の詳細な説明】
【技術分野】
【０００１】
本発明はエレベーターのかご上作業安全装置に関する。
【背景技術】
【０００２】
エレベーターの昇降路内において機器の保守点検作業を行う場合、作業者はかご上に乗って、かごを昇降させる操作回路の操作釦によりかごを昇降させながら作業を行う。この時、作業者は、落下防止のため、命綱を身体に付け、この命綱をかごに固定してから作業を実施する。
【０００３】
作業者が、命綱をかごに固定することを忘れたり、または命綱を使用せずに作業を実施したりすることを防止するため、命綱をかごに固定する取付金具に、命綱を固定するとき動作するスイッチを設け、スイッチが動作したときのみかご上の操作釦によるかご昇降を可能とする安全装置が知られている（特許文献１参照）。
【先行技術文献】
【特許文献】
【０００４】
【特許文献１】実願昭６２−１６８５３１号（実開平１−７２５５１号）のマイクロフィルム。
【発明の概要】
【発明が解決しようとする課題】
【０００５】
しかし、上記従来技術では、確実にスイッチ動作をさせるためには、命綱のフックの形状毎に、取付金具の形状，構造，材質を変更する必要があり、安全装置の設計が難しいという問題がある。
【０００６】
本発明は、上記の問題点を考慮してなされたものであり、簡易な構造で安全性の高いエレベーターのかご上作業安全装置を提供することを目的とする。
【課題を解決するための手段】
【０００７】
上記目的を達成するために、本発明によるエレベーターのかご上作業安全装置においては、第一のコネクタを取付金具に取り付け、第二のコネクタを命綱に取り付けることにより、これらコネクタが接続したときに、かごを昇降させる操作回路が形成され、かご上の操作釦によるかご昇降を可能とする。
【発明の効果】
【０００８】
本発明によれば、コネクタを命綱と取付金具に取付けることにより、命綱のフックの形状によらない簡易な構造で安全性の高いかご上作業安全装置を実現することができる。
【図面の簡単な説明】
【０００９】
【図１】本発明の一実施形態を示す構成図である。
【図２】昇降操作回路の回路図である。
【発明を実施するための形態】
【００１０】
以下、本発明の実施形態を図面により説明する。
【００１１】
図１は、本発明の一実施形態であるエレベーターのかご上作業安全装置を示す構成図である。図２は、かごを昇降させるための昇降操作回路の回路図である。
【００１２】
図１において、命綱の取付金具１はエレベーターかご上外枠２に取り付けられている。
【００１３】
命綱の取付金具１にはコネクタ３（第一のコネクタ）を取付け、命綱４にはコネクタ３と対になるコネクタ５（第二のコネクタ）を取付ける。
【００１４】
作業者が、かご上に乗って点検，調整，修理作業を行う場合は、まず、かご上操作切替スイッチ６（図２参照）を入れて、かご上からだけ昇降操作ができるようにする。これにより、図２における上昇釦７または下降釦８の操作によってかごを昇降させることができる状態となる。
【００１５】
ここで、かご上に乗っている作業者が、命綱４のフックを取付金具１に固定する際、コネクタ３とコネクタ５を接続すると、図２における接点９と接点１０の間が閉じる。これにより、上昇釦７または下降釦８を押せばかごが昇降する。かご上に作業者が乗っていても、命綱４を取付金具１に固定しなかったり、固定の仕方が不適切であったりすると、コネクタ３とコネクタ５が接続されない。このため、接点９・接点１０間は開いたままとなり、この状態で上昇釦７または下降釦８の何れを押しても、かごは昇降しない。
【００１６】
上記実施形態によれば、取付金具１に設けたコネクタ３と命綱４に設けたコネクタ５とが接続された時にかごが昇降できるようにするという簡易な構造により安全装置を構成できる。さらに、これらコネクタ３，５を接続していないと、かご上での作業ができないようにすることができると共に、命綱４の固定を忘れたまま作業することも防止できる。
【００１７】
また、本実施形態によれば、既存の命綱および取付金具へそれぞれのコネクタを取付けて、既存の操作回路の一部を変更すれば、既存の安全装置の安全性を容易に向上することができる。
【符号の説明】
【００１８】
１  取付金具
２  かご上外枠
３  第一コネクタ
４  命綱
５  第二コネクタ
６  かご上操作切替スイッチ
７  上昇釦
８  下降釦
９  接点
１０  接点
【図１】
2012218887.tif 000003
【図２】
2012218887.tif 000004
(57)【要約】【課題】資源ゴミとして出す新聞紙、広告等の分別をその時にするより毎日分別し箱に入れて置き紐を結べば簡単に出来る、【解決手段】支柱を底板上より大きさを少し小さくし重ねるのに支障が無いようにした。【選択図】図９
2012218811.tif 000002
【特許請求の範囲】
【請求項１】
支柱の大きさを変えることにより何段にも積み重ねが出来る構造
【発明の詳細な説明】
【技術分野】
【０００１】本発明は、新聞紙、広告紙等を仕分けできる同じ形状の箱型を積み重ね簡単に綴じる事が出来るようにした物である。
【背景技術】
【０００２】単独の物はあるが重ねる構造の物がないため。
【先行技術文献】
【０００３】特開２００６−２５６６１８号
特開２００３−１１８７１１号
特開２００６−３５５３７８号
特開平０９−２１６６０５号
【発明の概要】
【発明が解決しようとする課題】
【０００４】紙質の種類を選別する為、何段でも積み重ねが出来る構造にした。
【課題を解決するための手段】
【０００５】箱型の側板５の頂点より支柱３の頂点を下げて上部の箱型を積み重ねた場合の安定性、又は紐を結ぶ時に邪魔にならないようにした。
【発明の効果】
【０００６】資源ゴミとして出す場合、上部の箱型より紐を結び品物を取り出し脇に置き下の箱型を上に重ねれば立って作業が出来る。
投入口を設ける事により必要な開口部は支柱３を短くしても可能の上材料を節約できる。
【図面の簡単な説明】
【０００７】
【図１】本発明の正面図である。
【図２】本発明の背面図である。
【図３】本発明の平面図である。
【図４】本発明の底面見上げ図である
【図５】本発明の左側面図である。
【図６】本発明の右側面図である。
【図７】本発明の長辺方向の断面図である。
【図８】本発明の短辺方向の断面図である。
【図９】本発明の投視図である。
【発明を実施するための形態】
【０００８】以下本発明実施の形態について説明する。
（イ）支柱３は底面より下の部分は滑らかに重ねられるように少し小さくする。
（ロ）出隅、小口面はＲ面とする。
（ハ）投入口は滑りが良い様になだらかな丸面をつける。
（ニ）綴じ紐掛け部分は紐の太さの違いにも対応できる形状とする。
（ホ）綴じ紐の掛け方は投入口側から対面側にそして外を回して短辺紐掛けを通し綴じ紐置き場とする。
【符号の説明】
【０００９】１  新聞紙置き場所
２  綴じ紐、はさみ置き場
３  支柱
４  綴じ紐掛け
５  側壁
６  底板
【図１】
2012218811.tif 000003
【図２】
2012218811.tif 000004
【図３】
2012218811.tif 000005
【図４】
2012218811.tif 000006
【図５】
2012218811.tif 000007
【図６】
2012218811.tif 000008
【図７】
2012218811.tif 000009
【図８】
2012218811.tif 000010
【図９】
2012218811.tif 000011
(57)【要約】      （修正有）【課題】ミネラルウォーター用ガロンボトルがウォーターサーバーを用いていろいろな場所で利用されることが多くなってきた。従来ガロンボトルの再利用は、メインキャップを外して水を満水に入れ新しいメインキャップをつけるキャップにはメインとサブがありサブの再利用で資源の節約になる。ウォーターサーバーとガロンボトルはレンタルが殆どですが、個人で、サーバーとボトルを購入することもできるため、特に個人の好きな名水も入れることができる。また、災害用の飲料水として貯蓄もできる。災害地に届けられたミネラルウォーター用ガロンボトルは再利用棒にて再利用できる。【解決手段】１に角度をつける。２を薄くする。２の径より４の径を小さくする。３をネジ式にする事で先端を、付け替えられるようにする。【選択図】図１
2012218813.tif 000002
【特許請求の範囲】
【請求項１】
ボトルの底に落ちた、サブキャップが底のどの位置にあっても挿入できる。
【請求項２】
棒のさきの突起によってキャップを確実にとらえることができることを特徴とする請求項１記載のサブキャップ再利用棒。
【発明の詳細な説明】
【技術分野】
【０００１】  この発明は、飲料水に用いるガロンボトルのメインキャップについているサブキャップを再利用するための工具の形状に関する。
【背景技術】
【０００２】  ウォーターサーバーに取り付けたガロンボトルが空になりサーバーから外した時に、サブキャップが元にもどり空のボトルに栓をします。
このサブキャップを外したり、栓をしたりしてボトル内に水を入れ再利用する。
【発明の概要】
【発明が解決しようとする課題】
【０００３】  空になったボトルは、メインキャップを取り替えれば良いが、メインキャップの使い捨てになる。
サブキャップが再利用できれば資源の有効活用になる。
ボトルにメインキャップを付けたままサブキャップを外へは出せない。
ボトルの中へは指先で押して外す事が出来るがボトル内に落としたサブキャップは元に戻せない。
【課題を解決するための手段】
【０００４】  以上の課題を解決するために、第一発明は、サブキャップに容易にはまる突起を設けたことを特徴とする再利用棒である。
また、第二発明はボトル内に落ちてしまったサブキャップがボトルの底のどの位置にあっても容易に再利用棒の先にはめることができる。サブキャップの種類によって取り換えられるように先端をネジ式であることを特徴とする棒である。繰り返し使用の為、硬くて錆にくい材料を使用。
【発明の効果】
【０００５】  第一発明、または第二発明によれば、メインキャップを壊す事無く再利用でき、災害時の水の確保または、個人の好きな名水に利用できる。
【図面の簡単な説明】
【０００６】
【図１】この発明の一実施形態を示す斜視図である。
【発明を実施するための形態】
【０００７】  この発明の一実施形態を、図１に示す。
サブキャップ再利用棒は、繰り返し使用するため硬くて錆にくい材料を使用図１の１に角度をつける。図１の２は、厚さを薄くする事によって、図２のガロンボトルの底に落ちた図３のサブキャップがどの位置にあっても再利用棒がサブキャップに挿入しやすくなっている。
挿入した棒を垂直に立て棒の上からロートをかぶせ飲料水をいれる。入れ終わったら棒を上に持ち上げ、図２の３の位置に図３のサブキャップを、収める。
【０００８】「実施形態の効果」
この実施形態によれば、図２の２メインキャップを壊すことなくボトル内の水を、満水にすることができ、移動時の水もこぼれない。
【符号の説明】
【０００９】１  図１  サブキャップ再利用棒本体
２  図２の１  ガロンボトル  図２の２ガロンボトルメインキャップ
図２の３  ガロンボトルサブキャップ
３  図３  サブキャップ
【図１】
2012218813.tif 000003
【図２】
2012218813.tif 000004
【図３】
2012218813.tif 000005
【手続補正書】
【提出日】平成23年6月1日(2011.6.1)
【手続補正１】
【補正対象書類名】明細書
【補正対象項目名】０００６
【補正方法】変更
【補正の内容】
【０００６】
【図１】この発明の一実施形態を示す斜視図である。
【図２】一般に販売されているガロンボトルの斜視図である。
【図３】一般に販売されているガロンボトルのサブキャップの斜視図である。
(57)【要約】【課題】本発明は、ハンドタオル等のタオル、ハンカチ、スカーフ、手袋、靴下、下着等の装飾包装を、専門の技術を要することなく、誰にでも簡単にギフト用の装飾包装ができるとともに、製品の形状（色彩や質感）を活かした包装をすることで箱詰めの手間を省き、作業性を向上することができ、所望の高級感を演出することができるような包装ケースの提供を課題とする。【解決手段】ゴムからなる、花のがくような装飾包装ケースに、棒体を差し込み、花態様を特徴とした装飾包装ケース。【選択図】図１
2012218810.tif 000002
【特許請求の範囲】
【請求項１】
上部および下部に開口部があり、上部開口部が中央部より広い伸縮性の高い弾性体からなる半球体であることを特徴とした装身用小物の装飾包装ケース。
【請求項２】
半球体が動物やキャラクターなどの形状をしたことを特徴とした請求項１記載の装身用小物の装飾包装ケース。
【請求項３】
装飾包装ケース下部開口部より大きい突起物が先端部についている棒体を差込み固定し、花態様になることを特徴とした請求項１、２記載の装身用小物の装飾包装ケース。
【発明の詳細な説明】
【技術分野】
【０００１】  本発明は、ギフト用や販売店での展示に好適な布製品の装飾包装ケース、詳しくはハンドタオル等のタオル、ハンカチ、手袋、靴下、下着等の装身用小物を包装するに好都合な布製品用の装飾包装ケースに関するものである。
【発明の概要】
【０００２】  本発明は、ハンドタオル等のタオル、ハンカチ、手袋、靴下、下着等の装身用小物を、誰にでも簡単に花態様に見立てることができるギフト包装ができると同時に、販売店での展示も可能にするようにした装身用小物の装飾包装ケースを提供せんとするものである。
【発明が解決しようとする課題】
【０００３】  本発明は、ハンドタオル等のタオル、ハンカチ、スカーフ、手袋、靴下、下着等の装身用小物の装飾包装を、専門の技術を要することなく、誰にでも簡単にギフト用の装飾包装ができるとともに、販売店においては、平面に展示されることが一般的な装身用小物を、見栄え良く引き立たせて見せ、顧客の関心を引き付けることが検討された装身用小物の装飾包装ケースの提供を課題とする。
【課題を解決するための手段】
【０００４】  ゴムやシリコーン素材等の弾性体からなる半球体（図１−（Ｂ））と図１−（Ｂ）を接続し、図１−（Ａ）にハンドタオル等のタオル、ハンカチ、スカーフ、手袋、靴下、下着等の布製品を差込むだけで、花に見立てた装飾包装を、簡単に作ることができる装飾包装ケースを特徴とする。【０００５】  即ち、図１−（Ｂ）に記載の装飾包装ケース体は、いかなる形状のハンドタオル等のタオル、ハンカチ、スカーフ、手袋、靴下、下着等の装身用小物において、差し込むことができる伸縮性の高いゴムで形成されていることを特徴とする。【０００６】  また、図１−（Ｂ）に記載の装飾包装ケースは、上部開口部より中央部が広い形状であり、さらに下部開口部が狭くなっている形状とし、上部開口部から差し込んだハンドタオル等のタオル、ハンカチ、スカーフ、袋、靴下、下着等の装身用小物を、中央部で包む量を調節し、花のがくのように膨らみをもたせ、差込まれていない部分を花びらの態様に見立てることができる形状であることを特徴とする。【０００７】  又、図１−（Ｂ）に記載の棒体は先端部に上記図１−（Ａ）の下部開口部より大きい突起物が付いている形状とし、図１−（Ａ）の下部開口部から抜くことができないよう形成されていることを特徴とする。
【発明の効果】
【０００８】  本発明の装身用小物の装飾包装ケースは、布製品を装飾包装する技術を必要とせず、布製品を装飾包装ケースに差し込むだけで誰にでも簡単に装飾包装を行うことができる。【０００９】  又、従来のように布製品を平面の状態でみせる展示ではなく、立体化して花のように見立てた展示することができ、販売店から直接、あるいは購入者自身が受取人に直接渡す場合に、箱入れや包装紙での包装、リボン包装などをすることなく渡すことができ、きわめて便利となる。【００１０】  最後に、反復して利用できる装飾包装ケース体は、購入者自身または受取人が、布製品の使用前後にかかわらず花に見立てて飾っておくことができる布製品用ケースとして活用でき、包装紙などのゴミの発生を少なくすることができる等簡単な構成ではあるが有益な効果を発揮する。
【図面の簡単な説明】
【００１１】
【図１】本発明の正面図
【発明を実施するための形態】
【００１２】  以下、本発明の実施の形態を説明する。
（イ）図１−（Ｂ）記載の棒体（５）を、突起物（４）を設けた先端部を上にした状態で、図１−（Ａ）記載の、ゴムやシリコーン素材等の弾性体からなる半球体（６）の上部開口部（１）から差込み、下部開口部（３）よりの棒体（５）を引き下げ固定する。このとき、上部開口部（１）は半球体中央部（２）よりも上側に設ける。
（ロ）棒体（５）は先端部に上記下部開口部（３）より大きい突起物（４）が付いている形状とし、下部開口部（３）から抜くことができないよう形成されている。
（ハ）ゴムやシリコーン素材等の弾性体からなる半球体（６）の上部開口部（１）を手などで伸ばし、ハンドタオル等のタオル、ハンカチ、スカーフ、手袋、靴下、下着等の布製品を差込み、ゴムの伸縮により差込んだ布製品を固定させる。
本発明は以上のような構造である。
【００１２】  本発明を使用するときは、半球体（６）の上部開口部（１）から差し込んだハンドタオル等のタオル、ハンカチ、スカーフ、袋、靴下、下着等の装身用小物を、中央部（２）で包む量を調節し、花のがくのように膨らみをもたせ、差込まれていない部分を花びらの態様に見立てることができるので、誰にでも簡単に装飾包装ができる。
【符号の説明】
【００１３】  １．上部開口部、２．中央部、３．下部開口部、４．突起物、５．棒体、６．半球体
【図１】
2012218810.tif 000003
(57)【要約】      （修正有）【課題】津波襲来時に人命を守り、カプセルで、座るイスやベッドが付いている津波カプセルを提供する。【解決手段】人が津波により海に流されても２〜３日漂流しても食料の備蓄と海面を漂っている事により救助される円形のカプセルであって、本体の材質はＦＲＰ又は強化プラスチックで、転倒を防ぐ為、舟底中央部に鉛の錘（キール）１１が入っている。密閉して水を入れない構造で、空気の取り入れ口６を設ける。又広く海上を航海する船舶・航空機に発見され易くする為、ＳＯＳの電気信号を発する物を積む。【選択図】図３
2012218725.tif 000002
【特許請求の範囲】
【請求項１】
本体は強化プラスチック、ポリカーボネード製で全体又は上部は透明で外部の景色が見える物とする。
渡邉雄二の案は丸型で、内部にベットが置いてあり、身体を固定するシートベルトが付いている。
常木義治の案は方向を持たせる為舟型に成っており、ヨットと同じ舟底には錘（キール）として鉛を設置し上部に帆と舟底後部に舵をつける。
【請求項２】
渡邉案・常木案共、主に本体上部に空気取り入れ口と数日間の水、食料の棚又は物入れを常備する。
【発明の詳細な説明】
【発明の詳細な説明】
従来の物は耐震避難カプセルとして、床置きの球体に左右、人の出入り口の付いた物はある。しかしこの物体は建物内部の柱、梁の落下により人を守るのみである。
これでは机の下に入るのと同じである。我々の本発明は建物内でも外部でも使用でき、主に津波に対応する物である。
【技術分野】本発明は津波によりいかに人名を守り、数日間生き長らえるか海岸より離れて流されても信号又は点滅灯により発見されやすくし、多少の移動は帆と舵により移動は可能となる。
【背景技術】机の下部に身体をもぐり込ませる簡単なカプセルである。
【発明が解決しようとする課題】
【００１】津波襲来時に人命を守るカプセルで、座るイス・ベッドが付いている。
【００２】渡邉案：人が津波により海に流されても２〜３日漂流しても食料の備蓄と海面を漂っている事により救助される円形のカプセル
常木案：舟形の前後の方向性を持ったカプセルで出し入れする舵と帆が付いている。転倒を防ぐ為、舟底中央部に鉛の錘（キール）が入っている。又広く海上を航海する船舶・航空機に発見され易くする為、ＳＯＳの電気信号を発する物を積む。
【課題を解決する為の手段】
密閉して水を入れない構造で、空気の取り入れ口を設ける（共通）
柱・梁・電柱・橋脚・護岸・テトラポット・車・家の壁に当たっても容易に破損、壊れない物（共通）
前後・左右・上部・全て見通せる透明な材質のものとする（共通）
１＞渡邉案  ａ＞リビングでソファーとして使うＬＥＤ発光とＳＯＳシールを貼る。
ｂ＞３日間は耐えれる構造とする。
ｃ＞浮いて水が入らないもの、天地の確保が出来るもの。
２＞常木案  ａ＞カプセルの上部は円形にして溝を切り込むかゴム又はパッキンにして水                を入れない構造。
ｂ＞帆と舵が付いている為、自然の風により左右前方へ進むことが出来る。
ｃ＞浮いていて水は完全に入らない構造で舟底には食料・水の備蓄が出来る                棚又は物入れを作る。
【発明を実施するための形態】
渡邉案：円形  常木案：舟型
【実施例】渡邉案：  円形で座る所が、イスかベッドである。巾６０ｃｍ  直径は１．６ｍ
本体と蓋は油圧シリンダーが付いている。内部には水３日分
ラジオ・ペンライト・ＬＥＤ・蓋にはＳＯＳシール
外部：強化プラスチック        本体構造
中部：発泡スチロール
内部：ＦＲＰ
常木案：  舟型で座る所は、  小型で前後２席
中型で前後２列×２席＝４席
大きさ巾は        小型で１．２ｍ×２．５ｍ×２．０ｍ
中型で２．４ｍ×３．０ｍ×２．０ｍ
特徴は密閉したヨットをイメージしている本体の材質はＦＲＰ又は、強化プラスチックで舟体を強化する為、カーボンファイバーを挿入して骨組を作る。内部については、頭部・身体を保護する為、柔いゴム系のプラスチックとする。一番の長所は本体頭部に折り畳める柔いゴム系の帆を取り付ける。又後部舟体には出し入れ出来る舵を取り付け、風により自力で航行出来る物とする。舟体内部には航行に支障が出ない範囲での水・食料・懐中電灯  ラジオ・ＳＯＳ発信装置・毛布・タオル等の日用品を備え、当分の間は舟体にて暮らせる物とする。
排泄物ポットと新鮮空気取り入れ口も設置する。
【発明の効果】
従来の物と比べて  １＞落下物に対応出来るだけでなく、水に浮く。
２＞内部で暮らせる。
３＞外部と連絡が出来る。
４＞風により航海出来る。
５＞
【図面の簡単な説明】
【図１】本発明の実施形態を示す伏図である。渡邉案
【図２】本発明の実施形態を示す伏図である。常木案
【図３】本体の側面図である。渡邉案
【図４】本体の側面図である。常木案
【符号の説明】１．      外部の強化プラスチック
２．      中間の発泡スチロール
３．      内部のＦＲＰ
４．      座席を止めるフック
５．      空気口
６．      空気口
７．      ＳＯＳのシール
８．      ３日分の水
９．      電池
１０．    ラジオ
１１．    常木提案の錘（キール）
１２．    シートベルト
１３．    ＬＥＤペンライト
Ａ．      外部の強化プラスチック
Ｂ．      内部の柔らかいゴム・マット
Ｃ．      舟の舵
Ｄ．      空気取入口
Ｅ．      座席
Ｆ．      シートベルト
Ｇ．      舟の帆
Ｈ．      舟の錘（キール）
Ｉ．      水・食糧・電池・無線・オマルの容器入れ
【図１】
2012218725.tif 000003
【図２】
2012218725.tif 000004
【図３】
2012218725.tif 000005
【図４】
2012218725.tif 000006
(57)【要約】【課題】無動力で走れる、土砂運搬用トラックに関する。【解決手段】土砂運搬ダンプトラックを電気自動車にし、十分な高低差のある土砂採掘現場と、埋立現場などの高低さを利用して、降りる時にブレーキ発電蓄電し、空になった登りのときにその電力で戻ることができるようにするというものである。【特許請求の範囲】
【請求項１】
荷台に積んだ土砂のポテンシャルエネルギーで高所から降りてくるときにブレーキ発電、充電し、土砂をおろした後は、その電力で坂を登り、再び土砂取りにいくことができるようにした、燃料不要の土砂運搬トラック。
【発明の詳細な説明】
【技術分野】
【０００１】本発明は土砂運搬専用のトラックに関する。
【背景技術】
【０００２】  従来、大量の土砂を必要とする工事現場では、多数のトラックが山から土を絶え間なく運び入れ、その燃料費も当然巨額のものになっていた。
【発明の開示】
【発明が解決しようとする課題】
【０００３】  これは山から運び入れる土砂運搬の燃料費用をゼロに出来るトラックに関する。
【課題を解決するための手段】
【０００４】  土砂運搬ダンプトラックを電気自動車にし、十分な高低差のある土砂採掘現場と、埋立現場などの高低さを利用して、降りる時にブレーキ発電蓄電し、空になった登りのときにその電力で戻ることができるようにするというものである。
【発明の効果】
【０００５】高い山の土砂採掘現場と低い位置にある工事現場との、無数の往復にかかる、燃料代が必要なくなる。
【発明を実施するための最良の形態】
【０００６】  ダンプトラックで応用する。特に北日本大地震災害地で、災害復興に大至急使ってもらいたい。この自動車がうまく作動するには、積載量、現場の高低さが重要なファクターになるのが、あまり遠すぎる採掘地では行わない。一般には何十ｋｍも離れてはいないので、電気自動車としてその高低さ、距離を登りきれる範囲で行う。採掘地の選定が重要である。また４輪駆動と言うよりも、もっと強力な全輪駆動トラックにするべきであろう。本発明は本出願人の山崩し発電、レール上を走るタイプのものの、自動車への応用である。これは売電する訳ではないので、発電量が過剰になりすぎるという欠点があるが、それは車に搭載した電熱器で無駄に消費させるしかないと思う。低い山でも利用できるメリットと考えることもできる。電車と違い、レールを造らず、すでにある道路を使えるというのは大きなメリットである。
(57)【要約】      （修正有）【課題】自動車の衝突時に受ける衝撃を減衰させてより安全性を高める事に貢献する安全装置。【解決手段】複数の球体がならんで配置されたプレート板は、内部に回転補助用の球体小を球体大の回転円滑化の為に配備され、一体化される事で、衝突用安全装置の機能を持つ。プレート板は車体各部の形状に合わせ成型をすれば一元化可能である為に、取付箇所を限定せずに、必要な場所に取付出来る。【選択図】図１
2012218727.tif 000002
【特許請求の範囲】
【請求項１】
複数の球体がならんで配置されたプレート板は内部に回転補助用の球体小を球体大の回転円滑化の為に配備され、一体化される事で、衝突用安全装置の機能を持った装置となります。
プレート板は車体各部の形状に合わせ成型をすれば一元化可能である為に、取付箇所を限定せずに、必要な場所に取付出来る様になります。
これらの特徴を持ち単純構造で成り立つ安全装置。
【請求項２】
プレート板内部側に反射板の銀板を設置して光源を発光出来る様にすれば，保安部品である一体型ヘッドランプ、テール、サイドランプ等においても衝突安全装置の機能を備え、より安全な車へと進化させられます。
プレート板、球体をクリアー（透明）、赤、黄色、橙色  白色等の必要色で制作する事で使用範囲の広い安全装置です。
【発明の詳細な説明】
【技術分野】
【０００１】本発明は自動車において衝突時に受ける衝撃力を減衰しより安全、安心な乗り物としての使命を向上させる事を目的としている。
【背景技術】
【０００２】既存の自動車においての安全装置は、車体の各部分に最大限の可能な技術が取り込まれて１台の完成車が成立していますが、それらの基本的考え方は受けた衝撃力を最小化するのに「吸収」を主題として考えていると思います。その為により吸収しやすい車体構造は限界を越えると折れ曲がったり、破壊、変形し原形を残さぬ程に変化してまで減衰力向上を目指しています。【０００３】車体は破壊状態までの衝撃を受けても乗員室内の人間はエアーバック、エアーカーテン、衝撃吸収材入りの内装材等の安全装備で人命保護の目的達成を可能にしている。
又、電子部品の採用でレーダー感知や自動作動のブレーキ装置等のより強力な安全装置も出て来た事で、瞬時に作動する様になり、人間の感覚よりも素速く反応する事で更に安全向上になっています。
【発明の概要】
【発明が解決しようとする課題】
【０００４】先行技術の結昌である自動車用安全装置は外部圧力を受けた時に反発しないで、自車輌の吸収能力だけに頼り受け側に回っていると思います。
当然乗員保護、人命尊重が優先ではありますが、それらの受けるであろう衝撃力を受けるだけではなく手段を講じる事で最小化に寄与出来たならば、又その様な装置が有れば更なる安全性向上も可能となると思います。【０００５】現存する各種安全装置は高度な性能と機能を備え瞬時に作動可能となる様に車体各所に装備されて待機しそれぞれの用途に合った効果を発揮すべく性能を持っています。
そんな条件化にあっても更に上を行く安全装置があればそれを否定する事は適切ではないでしょうし、車が存在する限り安全装備は永遠のテーマとして追い求めて行く必要が有るでしょう。
【課題を解決するための手段】
【０００６】自動車用衝突安全装置は電子部品、最先端光学装置等を取り入れたりしながら普及し安全性を高める目的に向かってその精度を上げながら効果を上げていますがより高度な性能を求めればそれに伴なう価格にも影響しかねないのも事実だと思います。
従って、安全装置に望まれる事は性能を有し、価格的にも安価で、構造的にも単純で故障せずに作動する能力を持っている装置が良いと思います。【０００７】既存の安全装置の成果については確かに有効と思いますし必要な装置であるとも思います。
本装置は、既存の各種安全装置を否定する物ではなく、追加装備する事で、自動車車輌の損傷を小さくしたり、より安心感を増すうえでの有効性に貢献出来る装置だと思います。【０００８】本装置の基本的な発想は、相手方自動車からの衝撃を受けた瞬間からの力の受け方が吸収する為に受け止める従来の安全装置の考え方と違い、受けると同時にかわしてしまう装置となっています。
移動体はより強く作用する力の方向性を持ちその方向性に沿って相手方に損傷を与える事となりますが、衝突の入り口である接点を持った瞬間に力の作用方向が変えられて、その時点で威力の減衰へとなります。【０００９】本装置は安全性能向上の為、他の車輌と接触しやすい車体外周のどこの個所にも取付可能な形態で、構成部品もベースペレート板、球体大小のみの組み合せで成立している為に故障要因も無く複数の球体に接触した時の回転能力で、相手の力をかわしてしまう効果をあげるのである。
ベースペレートも平面から車体デザインの曲面に合わせて様々な形状にしその部分に球体を複数配置させて、より球体を面構成で力を受ける様にできるのです。【００１０】車体の取付個所に切り込み加工で取付スペースを確保しネジ止め加工で本体取付が出来、車体一元化するうえで違和感無くよりスマートな安全装置となります。
又、ベースプレート面に反射鏡板を取り付け、電球を点滅用に配線し点灯も可能となりますので、ヘッドランプ一体化前照灯装置やテールランプ、コーナー灯の各種安全装備等にも使える事で取付場所を様々な条件で可能としていけます。
2012218727.tif 000003
に対して、より多くの車体各部装着によって、より安心安全な自動車への貢献となります。
【発明の効果】
【００１１】本発明はベース板、球体大小の部品で構成され車体各部に取り付けられ事で衝撃力軽減の一助となります。
構成部品の少なさ、単純構造は制作原価の安さと軽量化故障のない作動環境に貢献し車体の各所に取り付けられて不測の事故に対応します。
ベース板、球体大の透明化やカラー度合いによって照明用電球やＬＥＤとの組合せで安全装置兼用の保安装置としても運用出来ます。【００１２】本装置は他の車から受ける衝撃力を、まず球体で受ける事で他の車の荷重が作用する方向のままにその力を受け流し、本来であればまともに受ける衝撃力をかわす事で軽減出来る装置となります。
又、衝撃力の作用方向は不確定であるので、受け側のかわして行く方向は球体面で受ける事によりその方向は３６０°どの方向へも相手方の力のより強く働く方向へとかわして行けるようになります。【００１３】既存の各種安全装置の必要性は当然の事として受け入れる事は勿論ですが、安全追求は終わりなきテーマとして、よりその効果がある物である以上既存の装置と融合させてより安全な車になればと思います。
【図面の簡単な説明】
【００１４】
【図１】本装置の平面、側面、立面図で有りますが一般的な例としての四角形の図面としました。一番外部に位置する球面が他の物体との接触により回転する事で、相手方車輌の力がより強く作用する方向へとその力を受け流す目的を果たす装置の図面となります。
【図２】本装置の拡大図で球体大（外部用）が回転力をより得られる為に内部に球体小を配置してより抵抗力を少なく回転し易い条件を補助装置としての役目の為に装備している内部構造の図面となります。球体大小は共にベースペレート内に納まるべくペレート面との接点は球面状に加工切込みされて球体大小が半固定する様な状態ではめ込み固定されています。
【図１】
2012218727.tif 000004
【図２】
2012218727.tif 000005
(57)【要約】      （修正有）【課題】今回、平成２３年３月１１日発生の東北東日本地震による津波より人命を守る装置を提供する。【解決手段】球型の特殊ゴム・強化ビニール・合成ゴム製で内部にはヘリウムガスを密閉し、ガス出し入れ口を調節する事により高度を上下出来る気球にて人間をＧＬより高さ３０〜４０ｍの高さに上げ、津波被害が届かない空中から人命を救助する装置である。海上に落下しても気密型の籠により２〜３日はその籠（カプセル）内にて生き延びれる構造とする。【選択図】図−１
2012218724.tif 000002
【特許請求の範囲】
【請求項１】
本体は球型の特殊ゴム・強化ビニール・合成ゴム製で内部にはヘリウムガスを密閉し下降する時には、ガス出し入れ口を調節すると事により高度は上下出来る物である。
人間が乗降り出来る様、防水の籠を下部に取り付ける。予備のヘリウムガスを注入又、排出出来る構造とし上下出来る物とし、籠にはフックを付けてロープで安全な場所まで引く事が出来る物。
【請求項２】
［受付日］籠は海水に浸かっても水が入らない構造として３日分の水、食料を備蓄出来る物
【発明の詳細な説明】
【発明の詳細な説明】
今回、平成２３年３月１１日発生の東北東日本地震による津波被害から人命を守る装置及び器具は余り存在しなかった。今回の発明は気球だと予備電源又は人力の巻上げ機により、津波の高さより上空に上がった気球を巻きげる事により人々を救助する装置である。
【技術分野】本発明は人間を１〜２名乗せて上空３０〜４０ｍまで上げ、津波の届かない山・丘の上へ動力又は人力の巻上げ機により気球を巻き取って人命の救助を行う施設。
【背景技術】気候用のバルーン気球はあるが、津波用は無いと思う。
【発明が解決しようとする課題】
【００１】気球にて人間を津波より高い地上３０〜４０ｍ以上に上げ巻き取り機により安全な丘・山の上に避難させる。
【００２】気密型の籠により２〜３日はその籠（カプセル）内にて生き延びれる構造とする。
【課題を解決する為の手段】
先ず、人間１人６０ｋｇ前後×２＋水＋食料＋電灯＋毛布＋を載せた防水の籠を気球（ヘリウムガス使用）の下部に吊り下げ、揚力はガスの注入、排出により上昇、下降出来る物とし、籠の横には巻き上げ機に必要な鉤（フック）が付いている。気球のままであると気流に流され、何処かに飛んで行くので鉤（フック）で巻き上げロープに結合し、又は津波の被害を受けないＧＬより３０〜４０ｍの山の高台へ着地させる。
積載している荷物は最悪の場合でも生存出来る為の用品で有る。
【発明を実施するための形態】
丸型・四角・四角全垂・玉子型・円柱型・舟型・その他考えられる。
図−１に示す
【実施例】この気球と防水籠は鉤（フック）により結合されていて、スキー場のリフトと同じ形態と考えて良い。災害時には電力も止まるから補助用発電機か大人による多人数の労力にて籠を安全な高台まで巻き上げる。
【発明の効果】
先ず人間×２人と生存用荷物は気球の揚力により計算上は気球の揚力＞人間１〜２名＋
【図面の簡単な説明】
【図１】本発明の実施形態を示す運用図である。
【図２】気球本体とカプセルの側面図である。
【図３】カプセルの正面図である。
【図４】滑車拡大図
【符号の説明】１．      気球の本
２．      気球用吊るし紐
３．      カプセルを吊るパイプ
４．      人間が乗るカプセル本体
５．      カプセルと巻き上げ機を結ぶパイプ又は紐
６．      巻き上げ機へ結合するフック
８．      吊り皮
９．      シートベルト
【図−１】
2012218724.tif 000003
【図−３】
2012218724.tif 000004
【図−４】
2012218724.tif 000005
【手続補正書】
【提出日】平成23年7月5日(2011.7.5)
【手続補正１】
【補正対象書類名】図面
【補正対象項目名】全図
【補正方法】変更
【補正の内容】
【図１】
2012218724.tif 000006
【図２】
2012218724.tif 000007
【図３】
2012218724.tif 000008
【図４】
2012218724.tif 000009
(57)【要約】【課題】  短距離での頻繁に発進、停止する場合、比較的に疲れにくい軽便性のある自転車を提供する。【解決手段】  前輪駆動自転車は、前輪４の車軸に設けられたラチェット１と、常にコイルバネ３でラチェット１に押しつけられるよう前輪取り付けフレーム５に取り付けられた爪２と、ハンドル軸６を自在に回転させる軸受８と、その軸受８に設けられたヒンジ９に、後輪１２およびステップ１１が取り付けられた本体１０が結合され、ブレーキ１３とブレーキレバー１４およびスタンド１５とが取り付けられて構成される。【選択図】図１
2012218722.tif 000002
【特許請求の範囲】
【請求項１】
前輪の車軸に設けられたラチェットと、常にラチェットに押しつけられるように前輪取り付けフレームに取り付けられた爪と、ハンドル軸を自在に回転させるように取り付けられた軸受と、その軸受に設けられたヒンジとから構成され、ヒンジを支点としてハンドルをハンドルを前後させることにより前進させる前輪駆動装置。
【請求項２】
前輪の車軸に設けられたラチェットと、常にラチェットに押しつけられるように前輪取り付けフレームに取り付けられた爪と、ハンドル軸を自在に回転させるように取り付けられた軸受と、その軸受に設けられたヒンジとで構成された前輪駆動装置と、後輪およびステップが取り付けられた本体とがヒンジ部で結合され、ハンドルを前後させることにより前進する前輪駆動自転車。
【発明の詳細な説明】
【技術分野】
【０００１】  この発明は、前輪駆動装置およびこれを用いて構成された前輪駆動自転車に関する。
【背景技術】
【０００２】  自転車の駆動、操舵形式として足によるクランク運動と、前輪操舵式が従来から知られている。
【発明の概要】
【発明が解決しょうとする課題】
従来の自転車は、短距離で頻繁に発進と停止をくり返す場合、たびたび足に瞬発力が要求され、比較的に疲れるという問題がある。
【０００３】  本発明者は、このような点に着目し、短距離で頻繁に発進、停止をする場合に比較的疲れにくい軽便性のある自転車を提供することを目的とする。
【発明を解決するための手段】
【０００４】  前輪駆動装置は、前輪４の車軸に設けられたラチェット１と、常にコイルバネ３でラチェット１に押しつけられるよう前輪フレーム５に設けられた爪２と、ハンドル７が取り付けられたハンドル軸６を自在回転させる軸受８と、その軸受８に設けられたヒンジ９とから構成される。
【０００５】  そして前輪駆動自転車は、前記の前輪駆動装置と、後輪１２、ステップ１１が取り付けられた本体１０とがヒンジ９で結合され、ブレーキ１３と、ブレーキレバー１４およびスタンド１５が取り付けられて構成される。
【発明の効果】
【０００６】  このような自転車において、ヒンジを支点としたテコ作用と、全身でのハンドルの前方押し出しによりくり返し発進、停止が比較的容易にできる。
【発明を実施するための形態】
【０００７】  以下、図面に基づいて実施例の一形態を説明する。
【０００８】  この前輪駆動自転車において、ハンドル軸６を操作範囲内で前方に傾斜させた位置がハンドル７前方に押し出す始点で、ハンドル軸６を垂直にさせた位置がハンドル７を前方に押し出した終点となるように、ヒンジ９において作動範囲が制限される。  この前輪駆動自転車の前輪駆動装置において、ハンドル７を後方にゆっくり戻し、前方に急速に押し出すとラチェット１と爪２が噛み合い、前輪４が固定されヒンジ９を支点としたテコ作用により前方への推進力が生じる。
【図面の簡単な説明】
【０００９】
【図１】前輪駆動自転車の側面図である。
【図２】前輪駆動自転車の斜視図である。
【符号の説明】  １  ラチェット
２  爪
３  コイルバネ
４  前輪
５  前輪取り付けフレーム
６  ハンドル軸
７  ハンドル
８  軸受
９  ヒンジ
１０  本体
１１  ステップ
１２  後輪
１３  ブレーキ
１４  ブレーキレバー
１５  スタンド
【図１】
2012218722.tif 000003
【図２】
2012218722.tif 000004
(57)【要約】【課題】  カップ麺にお湯を注いだ後は、蓋が開かないように、蓋のつまみ部をカップの縁に締め付けて保持する構造が一般的だが、この締め付け力が小さい為に、熱と湿気で蓋が反り返り開いてしまうことがある。  本発明は、この締め付け力を強化し、蓋が開らかないようにすることを特徴とするカップ麺の蓋の締め付け構造を提供する。【解決手段】  蓋のつまみ部を覆うような形状の突き出し部を設け、その突き出し部をカップの縁に沿って折り曲げ、折り曲げ部付近の一部をカップの側面に接着し、使用者が蓋を明ける際につまみ部を蓋側に残して切り離れるようなミシン目を設け、さらに突き出し部とカップとの接着部を支点に突き出し部を下から折り返した際に、つまみ部を差し込むことが可能な開口部を設けたことを特徴とする、カップ麺の蓋の締め付け構造。【選択図】図４
2012218781.tif 000002
【特許請求の範囲】
【請求項１】
蓋のつまみ部を覆うような形状の突き出し部を設け、その突き出し部をカップの縁に沿って折り曲げ、折り曲げ部付近の一部をカップの側面に接着し、使用者が蓋を明ける際につまみ部を蓋側に残して切り離れるようなミシン目を設け、さらに突き出し部とカップとの接着部を支点に突き出し部を下から折り返した際に、つまみ部を差し込むことが可能な開口部を設けたことを特徴とする、カップ麺の蓋の締め付け構造。
【発明の詳細な説明】
【技術分野】
【０００１】
本発明は、カップ麺の蓋の締め付け構造に関するものである。
【背景技術】
【０００２】
従来、カップ麺にお湯を注ぎ、蓋を戻した後、蓋が反り返って開かないように保持する為に、蓋のつまみの部分をカップの縁に締め付けていた。
なお、蓋の材質を変えたり、蓋に樹脂製のキャップやフックを設けたり、粘着性のテープを設けて蓋が開かないようにした構造が知られている（特許文献参照）。
【先行技術文献】
【特許文献】
【０００３】
【特許文献１】実用新案公開平７−２４７６７号公報
【特許文献２】特開２００６−１０３７４６号公報
【特許文献３】特開２００８−７４００６号公報
【特許文献４】特開２０１０−２０２２７９号公報
【発明の概要】
【発明が解決しようとする課題】
【０００４】
カップ麺にお湯を注いだ後は、蓋が開かないように、蓋のつまみ部をカップの縁に締め付けて保持する構造が一般的だが、この締め付け力が小さい為に、熱と湿気で蓋が反り返り開いてしまうことがある。
本発明は、以上の問題点を解決するためになされたものである。
【課題を解決するための手段】
【０００５】
蓋のつまみ部を覆うような形状の突き出し部を設け、その突き出し部をカップの縁に沿って折り曲げ、折り曲げ部付近の一部をカップの側面に接着し、使用者が蓋を明ける際につまみ部を蓋側に残して切り離れるようなミシン目を設け、さらに突き出し部とカップとの接着部を支点に突き出し部を下から折り返した際に、つまみ部を差し込むことが可能な開口部を設ける。
本発明は、以上のように構成されたカップ麺の蓋の締め付け構造。
【発明の効果】
【０００６】
蓋のつまみ部とカップとの間の締め付力が向上し、蓋が反り返って開くことがなくなる。
突き出し部は蓋と一体であり、同じシートから切り離す構造の為に、製造原価のアップは小さく押さえられると考える。ただし、蓋の材取り歩留の悪化及び接着工程変更による製造原価アップの可能性はある。
【図面の簡単な説明】
【０００７】
【図１】本発明の蓋の展開図
【図２】本発明の正面図
【図３】図２に於けるＡ-Ａ断面図
【図４】本発明の実施手順を示す斜視図
【発明を実施するための形態】
【０００８】
（イ）カップ麺の蓋（１）につまみ部（３）を覆うような形状の突き出し部（４）を設ける。
この突き出し部は蓋と一体であり、同じシート材から切り抜く。
（ロ）突き出し部（４）をカップ（２）の縁に沿って折り曲げ線（６）で折り曲げ、折り曲げ部付近の一部をカップの側面に接着（７）し、さらにユーザが蓋（１）を開く際につまみ部（３）を蓋（１）側に残して切り離れるようなミシン目（６）を設ける。
（ハ）突き出し部とカップとの接着部（７）を支点に、突き出し部を下から上方に折り返した際につまみ部（３）を差し込むことが可能な開口部（5）を設ける。
本発明は以上のような構造である。
【実施例】
【０００９】
本発明を使用するときは、つまみ部（３）をつまんで蓋（１）を開く。その際につまみ部（３）は蓋（１）側に残った状態でミシン目（６）に沿って蓋（１）と突き出し部（４）が切り離される。
使用者が麺にお湯を注ぎ、蓋（１）を戻すと同時に、突き出し部（４）とカップ（２）との間の接着部（７）を支点にして、突き出し部（４）を下から上方に折り返し、突き出し部（４）に設けられた開口部（５）につまみ部（３）を差し込む。さらに突き出し部の上側とつまみ部を折り曲げる。
【符号の説明】
【００１０】
1 蓋、2 カップ、3 つまみ部、4 突き出し部、5 開口部、6 ミシン目及び折り曲げ線、7 接着範囲
【図１】
2012218781.tif 000003
【図２】
2012218781.tif 000004
【図３】
2012218781.tif 000005
【図４】
2012218781.tif 000006
(57)【要約】      （修正有）【課題】幼児等に対し、勝手にシートベルトを解除させないと共に、緊急時の事を考え、大人が通常と同じ動作で解除できる低コストのバックルカバーの提供。【解決手段】弾力性のある樹脂のみで構成されており、シートベルトのプレートが挿通する部分のみが開口していることを特徴とする。バックルカバーの上面部１は、シートベルトのプレートを挿通させる為に開口部が設けられている。上面部２、側面部３，４，５，６で構成されており、底面はない。上面部２を通常より強めに押圧することでポリエチレンが押され、解除することができる。【選択図】図１
2012218720.tif 000002
【特許請求の範囲】
【請求項１】
自動車のシートベルトの留め具部分（バックル）を覆うバックルカバーであって、シートベルトのプレートを挿通する部分のみを開口部としていることを特徴とするバックルカバー。
【請求項２】
前記バックルカバーは、弾力性のある樹脂のみで構成していることを特徴とする請求項１記載のバックルカバー。
【発明の詳細な説明】
【技術分野】
【０００１】  本発明は、自動車のシートベルトの留め具部分であるバックルを覆うバックルカバーに関するものである。
【背景技術】
【０００２】  従来、自動車のシートベルトは、事故等から身を守る為にシートに体を拘束するものである。【０００３】  また、乳幼児を自動車に乗車させる場合に、チャイルドシートやジュニアシートが義務ずけられている。上記チャイルドシートは、自動車のシートベルトにて、本体をシートに固定し、チャイルドシート付属のベルトで、乳児を拘束する構造になっている。それに対し、上記ジュニアシートは、自動車のシートベルトにて、幼児をシートに拘束する構造になっている。【０００４】  なお、本発明に関する公知技術として次の特許文献１及び特許文献２を挙げることができる。
【先行技術文献】
【特許文献】
【０００５】
【特許文献１】  特開２０１０−２０７２５６号公報
【特許文献２】  特開２００１−２８７６２０号公報
【発明の概要】
【発明が解決しようとする課題】
【０００６】  本来、シートベルトは、身を守る為に、シートに体を拘束するものである。それを解除するには、解除ボタンを押圧するだけで、シートベルトが外れる構造になっているのだが、安全、危険の区別が付かない幼児は、拘束される事を嫌がり、手の届くところにある解除ボタンを容易に押圧し、ジュニアシートから、抜け出してしまい、危険な状態になることがある。【０００７】  また、上記特許文献１に関しては、バックルの解除部分に扉状のものが設けられた構造で、ロック解除時は、扉を開いて、解除ボタンを押圧しなければならない。【０００８】  また、上記特許文献２に関しては、バックルの解除部分に細長く、溝が設けられている構造で、ロック解除時は、その溝にドライバ等の工具を用いて、解除ボタンを押圧しなければならない。【０００９】  いずれの特許文献も事故等の緊急時に通常のシートベルトを外すよりも時間がかかる為、逃げ遅れたりする危険性がある。【００１０】  また、特許文献１は、多量の部材を使用する為、製造コストもかかる。【００１１】  そこで、本発明は、安全、危険の区別の付かない幼児等に対し、勝手にシートベルトの解除ボタンを押圧させないと共に、緊急時も事も考え、大人が通常と同じ動作で解除ボタンを押圧できる、低コストの器具を提供することを課題とするものである。
【課題を解決するための手段】
【００１２】  上述の目的を達成する本発明のバックルカバーは、自動車のシートベルトのバックルを覆うバックルカバーであって、シートベルトのプレートを挿通する部分のみを開口部としていることを特徴とする。【００１３】  また、前記バックルカバーは、弾力性のある樹脂のみで構成していることを特徴とする。
【発明の効果】
【００１４】  以上説明したように、本発明によれば、自動車のバックルにバックルカバーを装着することによって、安全、危険の区別の付かない幼児等が解除ボタンを押圧することを防止し、緊急時には、大人が通常の動作で、容易に解除ボタンを押圧できるという効果を有している。また、１種類の部材を使用することで製造コストも抑えられるという効果を有している。
【図面の簡単な説明】
【００１５】
【図１】  本発明の第１の実施の形態に係るバックルカバーの外観斜視図である。
【図２】  本発明のバックルカバーを装着した状態の図である。
【図３】  本発明のバックルカバーを装着した状態で解除ボタンを押圧する動作を表す図である。
【発明を実施するための形態】
【００１６】  図１が示すように、本バックルカバーは、弾力性のある樹脂のみで形成されている。例として、ポリエチレンでの一体成型が望ましい。上面２は、下にある解除ボタンを上から押圧した場合、幼児の力では押圧できない、尚且つ、大人の力では押圧できるくらいの圧さ、１ｃｍくらいが望ましいが、限定されるものではない。また、側面の肉厚はも１ｃｍくらいが望ましいが、限定されるものではない。バックルカバーの外寸は、シートベルトのバックルを覆い被せる大きさということで、一般的なサイズ、若しくは、車種別に製作してもよいものとする。
【００１７】  バックルカバーの上面部１は、シートベルトのプレートを挿通させる為に開口部が設けられている。上面部２、側面部３，４，５，６で構成されており、底面はない。
【００１８】  図２は、バックルカバーを装着した状態と、シートベルトのプレートを表したものである。
【００１９】  図３は、バックルカバーを装着した状態で解除ボタンを押圧する動作を表したものである。通常の解除ボタンを押圧する場所、上面部２を通常より強めに押圧することでポリエチレンが押され、解除することができるものである。
【産業上の利用可能性】
【００２０】  本発明は、自動車のシートベルトのバックルが、安全、危険の区別が付かない幼児等に解除されることを防止する器具で利用することができる。
【符号の説明】
【００２１】  １  開口部
２  上面部
３  側面部
４  側面部
５  側面部
６  側面部
７  シートベルトのプレート
【図１】
2012218720.tif 000003
【図２】
2012218720.tif 000004
【図３】
2012218720.tif 000005